(57)【要約】【課題】トーンホールから出た音が前方に響き易くなるとともに演奏者の耳にも届き易いサクソフォンを提供する。【解決手段】＃１番〜＃２５番トーンホールが形成され、上流側端部にマウスピース２が取付けられた管体３を有する。管体３に移動可能に支持されてトーンホールを開閉する第１〜第２５のキー１１〜３５と、キー（第４のキー１４）の移動経路を避けてトーンホール（＃４番トーンホール）の近傍に設けられた反響板４４とを備える。反響板４４は、演奏姿勢においてトーンホールの後方に位置して前方を指向する後側反射部と、演奏姿勢においてトーンホールの下方に位置して上方を指向する下側反射部とを有している。【選択図】  図１
2020064134.tif 000002
【特許請求の範囲】
【請求項１】
複数のトーンホールが形成され、上流側端部にマウスピースが取付けられた管体と、
前記管体に移動可能に支持されて前記トーンホールを開閉する複数のキーと、
前記キーの移動経路を避けて前記トーンホールの近傍に設けられた反響板とを備え、
前記反響板は、
演奏姿勢において前記トーンホールの後方に位置して前方を指向する後側反射部と、
演奏姿勢において前記トーンホールの下方に位置して上方を指向する下側反射部とを有していることを特徴とするサクソフォン。
【請求項２】
請求項１記載のサクソフォンにおいて、
前記管体は、前記マウスピースが上流側端部に取付けられた吹込管と、この吹込管の下流側端部に上流側端部が接続された２番管と、この２番管の下流側端部に上流側端部が接続されたＵ字状の１番管と、この１番管の下流側端部に接続されたベルとを備え、
前記１番管の屈曲部は、前記トーンホールの近傍にキーガードを有し、
前記反響板は、前記キーガードに設けられていることを特徴とするサクソフォン。
【請求項３】
請求項２記載のサクソフォンにおいて、
前記キーガードは、前記１番管から側方に向けて突出するステーを有し、
前記反響板は、
前記後側反射部および前記下側反射部を含む板状に形成されて前記ステーに被せられた本体と、
前記本体と協働して前記ステーを挟む取付片と、
前記本体を貫通して前記取付片に螺着した締付用ねじとを有し、
前記反響板が前記取付片と締付用ねじとからなる取付構造によって前記ステーに着脱可能に取付けられていることを特徴とするサクソフォン。
【発明の詳細な説明】
【技術分野】
【０００１】
本発明は、反響板を備えたサクソフォンに関する。
【背景技術】
【０００２】
反響板を備えた従来のサクソフォンとしては、例えば特許文献１に記載されているものがある。特許文献１に開示された反響板は、サクソフォンのトーンホールを開閉するキーの内面（タンポ）に設けられている。このサクソフォンによれば、キーの内面が前方を指向するようにキーが開くことによって、トーンホールから出た音の一部が反響板によって反射して前方へ伝播する。
ところで、サクソフォンを演奏するにあたっては、サクソフォンから出た音を演奏者が自らの耳で聴いて確かめながら行う。
【先行技術文献】
【特許文献】
【０００３】
【特許文献１】特開２００６−３５００３６号公報
【発明の概要】
【発明が解決しようとする課題】
【０００４】
特許文献１に開示された反響板の効果は、トーンホールの位置やキーの開く方向、角度などの影響を受ける。特に、キーがトーンホールを開くときに大きく傾斜しないような場合は、この反響板で音を前方に反射させることは難しい。
また、この反響板は、キーの内面が指向する方向に音が反射するものであるから、音を演奏者の耳に向けて反射させることはできないものである。
このため、キーに依存することなく音が確実に前方に響く反響板や、演奏者が聴き易くなるように音を反射させることが可能な反響板が要請されている。
【０００５】
本発明の目的は、トーンホールから出た音が前方に響き易くなるとともに演奏者の耳にも届き易いサクソフォンを提供することである。
【課題を解決するための手段】
【０００６】
この目的を達成するために、本発明に係るサクソフォンは、複数のトーンホールが形成され、上流側端部にマウスピースが取付けられた管体と、前記管体に移動可能に支持されて前記トーンホールを開閉する複数のキーと、前記キーの移動経路を避けて前記トーンホールの近傍に設けられた反響板とを備え、前記反響板は、演奏姿勢において前記トーンホールの後方に位置して前方を指向する後側反射部と、演奏姿勢において前記トーンホールの下方に位置して上方を指向する下側反射部とを有しているものである。
【０００７】
本発明は、前記サクソフォンにおいて、前記管体は、前記マウスピースが上流側端部に取付けられた吹込管と、この吹込管の下流側端部に上流側端部が接続された２番管と、この２番管の下流側端部に上流側端部が接続されたＵ字状の１番管と、この１番管の下流側端部に接続されたベルとを備え、前記１番管の屈曲部ｗは、前記トーンホールの近傍にキーガードを有し、前記反響板は、前記キーガードに設けられていてもよい。
【０００８】
本発明は、前記サクソフォンにおいて、前記キーガードは、前記１番管から側方に向けて突出するステーを有し、前記反響板は、前記後側反射部および前記下側反射部を含む板状に形成されて前記ステーに被せられた本体と、前記本体と協働して前記ステーを挟む取付片と、前記本体を貫通して前記取付片に螺着した締付用ねじとを有し、前記反響板が前記取付片と締付用ねじとからなる取付構造によって前記ステーに着脱可能に取付けられていてもよい。
【発明の効果】
【０００９】
本発明に係る反響板の後側反射部は、トーンホールから後方に伝播された音を前方に向けて反射させる。反響板の下側反射部は、トーンホールから下方に伝播された音を上方に向けて反射させる。このため、トーンホールから前方に伝播された音と、後方に伝播されて反響板で反射した音とが前方に向けて響くようになり、しかも、トーンホールから上方に伝播された音と、下方に伝播されて反響板で反射した音とが上方に響くようになって演奏者の耳に届き易くなる。
したがって、本発明によれば、トーンホールから出た音が前方に響き易くなるとともに演奏者の耳にも届き易いサクソフォンを提供することができる。
【図面の簡単な説明】
【００１０】
【図１】本発明に係るサクソフォンの側面図である。
【図２】１番管を斜め下方から見た状態を示す斜視図である。
【図３】１番管を斜め上方から見た状態を示す斜視図である。
【図４】第２のキーガードと反響板の斜視図である。
【図５】反響板を取付けた１番管を斜め下方から見た状態を示す斜視図である。
【図６】要部の断面図である。
【図７】反響板を第２のキーガードに取付ける手順を説明するための斜視図である。
【図８】反響板を第２のキーガードに取付ける手順を説明するための斜視図である。
【図９】サクソフォンの演奏姿勢を示す側面図である。
【図１０】演奏姿勢にあるサクソフォンの要部を拡大して示す側面図である。
【発明を実施するための形態】
【００１１】
以下、本発明に係るサクソフォンの一実施の形態を図１〜図１０を参照して詳細に説明する。
図１に示すサクソフォン１は、アルトサクソフォンで、マウスピース２を除く管体３が真鍮によって形成されたものである。以下において、このサクソフォン１の構成を説明するうえで方向を示すにあたっては、便宜上、演奏者Ａ（図参照）がサクソフォンを持って演奏姿勢をとった状態において、演奏者Ａから見た方向で説明する。
【００１２】
管体３は、マウスピース２が上流側端部に取付けられた吹込管４と、この吹込管４の下流側端部が上流側端部に接続された２番管５と、この２番管５の下流側端部が上流側端部に接続されたＵ字状の１番管６と、この１番管６の下流側端部に接続されたベル７とによって構成されている。この管体３には＃１〜＃２５番トーンホールと、管体３に移動可能に支持されて＃１〜＃２５番トーンホールを開閉する第１〜第２５のキー１１〜３５などが設けられている。図１は第１〜第２５のキー１１〜３５を操作するための操作機構や操作系の部品を省略して描いてある。
【００１３】
管体３の下部には第１〜第３のキーガード４１〜４３が設けられている。第１のキーガード４１は、ベル７の上流部の右側に取付けられており、第１のキー１１と、第２のキー１２とを右斜め前方から覆うように構成されている。第２のキーガード４２は、１番管６の屈曲部６ａの右側に取付けられ、第４のキー１４を右斜め下方から覆うように構成されている。この第２のキーガード４２には、本発明に係る反響板４４が取付けられている。この反響板４４の説明は後述する。
第３のキーガード４３は、１番管６の上流側端部の後側に取付けられており、第５のキー１５を左斜め後方から覆うように構成されている。
【００１４】
これらの第１〜第３のキーガード４１〜４３は、主に次の３つの機能を有している。第１の機能は、演奏者Ａの衣服がキー（第１、第２、第４および第５のキー１１，１２，１４，１５）に接触することを防ぐ機能である。第２の機能は、キーを保護する機能である。第３の機能は、キーの開方向への移動を規制する機能である。第１〜第３のキーガード４１〜４３は、管体３への取付位置が異なるものの、いずれも同じ構造となるように形成されている。このため、ここでは第２のキーガード４２について説明し、第１および第３のキーガード４１，４３については図１に第２のキーガード４２と同一の符号を付して詳細な説明を省略する。
【００１５】
第２のキーガード４２は、図２および図３に示すように、第１〜第３のステー４５〜４７と、これらの第１〜第３のステー４５〜４７に接続されたカバー４８とを備えている。この実施の形態による第１〜第３のキーガード４１〜４３は、図示していない板状の母材にプレス加工を施すことによって所定の形状に成形されている。すなわち、第１〜第３のステー４５〜４７とカバー４８とは一体に形成されている。第１〜第３のキーガード４１〜４３を形成する材料は真鍮である。
【００１６】
図２および図３は、第２のキーガード４２から後述する反響板４４を取外した状態で描いてある。第２のキーガード４２の第１〜第３のステー４５〜４７は、１番管６に設けられたブラケット４９〜５１にそれぞれ取付ねじ５２によって取付けられており、１番管６から右側方（図２および図３においては上方）に突出している。これらの第１〜第３のステー４５〜４７には、穴５３〜５５が形成されている。第１〜第３のステー４５〜４７のうち、中央に位置する第２のステー４６の穴５４は、１番管６から離れるにしたがって次第に開口幅が広くなるように形成されている。このため、第２のステー４６には、Ｖ字状を呈する二股部５６が形成されている。
【００１７】
第２のキーガード４２のカバー４８は、図１に示すように、右側方から見て第４のキー１４の下部と重なるように略円弧状に形成されており、第４のキー１４から右側方に所定の間隔だけ離れて位置付けられている。カバー４８の外周部４８ａ（図６参照）は、断面円弧状に丸められている。
上述した第１のステー４５は、カバー４８の前端部に接続され、第２のステー４６は、カバー４８の中央部に接続され、第３のステー４７は、カバー４８の後端部に接続されている。第２のキーガード４２は、第２のステー４６が１番管６の屈曲部６ａの頂点に接続されるように１番管６に取付けられている。このように第２のキーガード４２が１番管６に取付けられることにより、図１に示すように、円弧状のカバー４８の凸になる方向と、１番管６の屈曲部６ａが突出する方向とが略同じ方向になる。この方向は、２番管の延びる方向と略平行である。
【００１８】
カバー４８の両側には、穴５７，５８が形成されている。カバー４８の中央部であって、第４のキー１４と対向する部分には、緩衝部材５９（図３参照）が設けられている。この緩衝部材５９は、第４のキー１４が全開位置まで開いたときに第４のキー１４の円形の端面１４ａと接触し、第４のキー１４がそれ以上開くことを規制するものである。
第１のキーガード４１のカバー４８には、図示してはいないが、第１のキー１１と接触する緩衝部材と、第２のキー１２と接触する緩衝部材とが設けられている。第３のキーガード４３には第５のキー１５と接触する緩衝部材５９（図１参照）が設けられている。
【００１９】
反響板４４は、＃４番トーンホールから出た音の一部を所定の方向に反射させるためのものである。この反響板４４は、図１に示すように、第２のキーガード４２を下方から覆う形状に形成されており、第２のキーガード４２の第２のステー４６に後述する取付構造６１（図４参照）によって着脱可能に取付けられている。すなわち、反響板４４は、第４のキー１４の移動経路を避けて＃４番トーンホールの近傍に設けられている。
【００２０】
この実施の形態による反響板４４は、真鍮製の板からなる本体６２に後述する取付構造６１の構成部品を取付けて形成されている。本体６２は、図５に示すように、第２のキーガード４２の第１〜第３のステー４５〜４７とカバー４８の外周部４８ａに被せることができる形状に形成されている。詳述すると、本体６２は、図１に示すように、サクソフォン１の右側方から見て円弧状に形成されている。この本体６２の右側の端部６２ａ（図５においては上側の端部であって、カバー４８の外周部４８ａに近接する部分）は、図６に示すように、カバー４８の外周部４８ａに沿うように湾曲している。
【００２１】
本体６２をサクソフォン１の下方から見た形状は、角が丸められた長方形である。この実施の形態による本体６２は、平板からなる母材（図示せず）にプレス加工を施し、最終的な湾曲した形状に成形されている。成形後の本体６２には、表面処理が施される。この表面処理は、研磨と、塗装あるいはメッキ処理などである。メッキ処理としては、例えば銀メッキや金メッキなどが行われる。反響板４４の本体６２の材質や、塗装時の塗膜の厚み、メッキ処理で使う金属材料の種類、メッキ膜の厚みなどを変えることにより、反響板４４で反射する音の音色や響き方を変えることができる。
【００２２】
反響板４４の本体６２を第２のキーガード４２に取付ける取付構造６１は、図４に示すように、本体６２の内面６２ｂにはんだ付けによって固着された取付片６３と、この取付片６３に螺着した締付用ねじ６４とによって構成されている。この実施の形態による取付片６３と締付用ねじ６４は、真鍮によって形成されている。
取付片６３は、本体６２の長手方向（周方向）の中央部に配置されている。この取付片６３は、本体６２の長手方向とは直交する方向に長く形成されており、本体６２の右側の端部６２ａに近接する一端部６３ａにおいて本体６２に取付けられている。
【００２３】
取付片６３の他端部６３ｂは、本体６２の内面６２ｂとの間に所定の隙間が生じるように内面６２ｂから離れている。この所定の隙間は、図６に示すように、本体６２と取付片６３の他端部６３ｂとの間に第２のステー４６の二股部５６を挟むことができる隙間である。
締付用ねじ６４は、図６に示すように、本体６２の貫通孔６５に通されて本体６２を貫通し、取付片６３の他端部６３ｂに螺着している。
【００２４】
反響板４４を第２のキーガード４２に取付けるためには、先ず、図７に示すように、反響板４４を第２のキーガード４２に下方から重ね、取付片６３の他端部６３ｂを第２のステー４６の二股部５６によって形成された穴５４に挿入する。次に、図８に示すように、取付片６３の他端部６３ｂと本体６２との間に二股部５６が挟み込まれるように反響板４４を第２のキーガード４２に対してスライドさせる。そして、反響板４４が第２のキーガード４２と重なった状態で締付用ねじ６４を締め込み、本体６２と取付片６３の他端部６３ｂとを二股部５６に押し付ける。このように二股部５６が本体６２と取付片６３とによって挟まれて締結されることにより、反響板４４が第２のキーガード４２に固定される。
反響板４４を第２のキーガード４２から取外す場合は、上記とは逆の手順で行うことができる。
【００２５】
このように反響板４４が第２のキーガード４２に取付けられたサクソフォン１を演奏者Ａが持って演奏するときは、図９に示すように、２番管５の上端が下端より前方に位置付けられてサクソフォン１が傾斜するようになる。この演奏姿勢においては、図１０に示すように、反響板４４が＃４番トーンホールの後方と下方とに位置するようになる。この実施の形態においては、反響板４４における＃４番トーンホールより後方に位置する部位を後側反射部４４ａといい、本体６２における＃４番トーンホールより下方に位置する部位を下側反射部４４ｂという。
【００２６】
後側反射部４４ａは、＃４番トーンホールより後方に位置して前方を指向するようになり、＃４番トーンホールから後方に伝播された音を前方に向けて反射させる。また、下側反射部４４ｂは、＃４番トーンホールの下方に位置して上方を指向するようになり、＃４番トーンホールから下方に伝播された音を上方に向けて反射させる。
【００２７】
このため、＃４番トーンホールから前方に伝播された音と、後方に伝播されて後側反射部４４ａで反射した音とが前方に向けて響くようになる。また、＃４番トーンホールから上方に伝播された音と、下方に伝播されて下側反射部４４ｂで反射した音とが上方に響くようになって演奏者Ａの耳に届き易くなる。
したがって、この実施の形態によれば、＃４番トーンホールから出た音が前方に響き易くなるとともに演奏者Ａの耳にも届き易いアルトサクソフォンを提供することができる。
【００２８】
この実施の形態によるサクソフォン１の管体３は、マウスピース２が上流側端部に取付けられた吹込管４と、この吹込管４の下流側端部に上流側端部が接続された２番管５と、この２番管５の下流側端部に上流側端部が接続されたＵ字状の１番管６と、この１番管６の下流側端部に接続されたベル７とを備えている。
１番管６の屈曲部６ａは、＃４番トーンホールの近傍に第２のキーガード４２を有している。反響板４４は、この第２のキーガード４２に設けられている。
【００２９】
このため、反響板４４を１番管６に取付けるにあたって専用のブラケットが不要である。このように既存の部品である第２のキーガード４２を使用して反響板４４を保持しているから、１番管６の音響性能を損なうことなく反響板４４を装備することができる。
＃４トーンホールの近傍に設けられた反響板４４は、＃７番トーンホールから出た音（ファ）や＃６番トーンホールから出た音（ミ）も反射させることができる。このため、このサクソフォン１においては、中低音が良く響くようになる。
【００３０】
この実施の形態による１番管６の第２のキーガード４２は、１番管６から側方に向けて突出する第１〜第３のステー４５〜４７を有している。反響板４４は、後側反射部４４ａおよび下側反射部４４ｂを含む板状に形成されて第１〜第３のステー４５〜４７に被せられた本体６２と、本体６２と協働して第２のステー４６を挟む取付片６３と、本体６２を貫通して取付片６３に螺着した締付用ねじ６４とを有している。反響板４４は、取付片６３と締付用ねじ６４とからなる取付構造６１によって第２のステー４６に着脱可能に取付けられている。
このため、反響板４４が不必要になったときに反響板４４を第２のキーガード４２から簡単に取外すことができるから、使い勝手がよいサクソフォンを提供することができる。また、反響板４４を本体６２の材質、表面処理などが異なるものと交換することができるから、音響効果が異なる反響板４４を使用して吹き心地や音色の異なるサクソフォンを実現することができる。
【００３１】
この実施の形態による反響板４４は第２のキーガード４２の第２のステー４６に取付けられている。しかし、反響板４４は、第１のステー４５に取付けたり、第３のステー４７に取付けることができるし、第１のステー４５および第３のステー４７に取付けることができる。
【００３２】
上述した実施の形態によるサクソフォン１は、反響板４４が第２のキーガード４２に設けられている。しかし、本発明はこのような限定にとらわれることなく、反響板４４を＃１番トーンホールや＃２番トーンホールから出た音が反射するように第１のキーガード４１に設けたり、＃５番トーンホールから出た音が反射するように第３のキーガード４３に設けることができる。また、本発明に係る反響板４４は、第１〜第３のキーガード４１〜４３ではなく、管体３に立てて設けられたブラケット（図示せず）に取付けることも可能である。
また、上述した実施の形態は本発明に係る反響板４４をアルトサクソフォンに設ける例を示したが、この反響板４４は他のサクソフォン（テナー、バリトン、カーブドソプラノ）にも設けることができる。
【符号の説明】
【００３３】
１…サクソフォン、２…マウスピース、３…管体、４…吹込管、５…２番管、６…１番管、６ａ…屈曲部、７…ベル、１１〜３５…第１〜第２５のキー、４１…第１のキーガード、４２…第２のキーガード、４３…第３のキーガード、４４…反響板、４４ａ…後側反射部、４４ｂ…下側反射部、４６…第２のステー、６１…取付構造、６２…本体、６３…取付片、６４…締付用ねじ、＃１〜＃２５…トーンホール。
【図１】
2020064134.tif 000003
【図２】
2020064134.tif 000004
【図３】
2020064134.tif 000005
【図４】
2020064134.tif 000006
【図５】
2020064134.tif 000007
【図６】
2020064134.tif 000008
【図７】
2020064134.tif 000009
【図８】
2020064134.tif 000010
【図９】
2020064134.tif 000011
【図１０】
2020064134.tif 000012